(57)【要約】【課題】アース端子を有していない単相２線式の電源ラインによって、電源が供給されている環境で使用される各種の電気機器等に対して、安全、確実、しかも、簡便にアースをとる手段を提供し、もって、作業者や居住者を極低周波電磁波の影響による健康被害から守ることを可能にする電場除去器を提供する。【解決手段】単相２線式電源ラインに対応した電源プラグと、電気機器等のアース電位部位に接続されるアースプラグと、電源プラグの片側とアースプラグとを接続する接続コードとを有する電場除去器において、単相２線式電源ラインのホットラインが電気機器等のアース電位部位に接続された時に光及び／又は音で、誤接続を知らせる電位検出回路が、電源プラグと接続コードの一端との間に設けられているとともに、アースプラグが、ＵＳＢプラグであることを特徴とする電場除去器。【選択図】図１
2013110136.tif 000002
【特許請求の範囲】
【請求項１】
単相２線式電源ラインに対応した電源プラグと、電気機器等のアース電位部位に接続されるアースプラグと、前記電源プラグの片側とアースプラグとを接続する接続コードとを有する電場除去器において、
前記単相２線式電源ラインのホットラインが電気機器等のアース電位部位に接続された時に光及び／又は音で、誤接続を知らせる電位検出回路が、前記電源プラグと接続コードの一端との間に設けられているとともに、
前記アースプラグが、ＵＳＢプラグであることを特徴とする電場除去器。
【発明の詳細な説明】
【技術分野】
【０００１】
本発明は、パソコン等の一般家庭の電気器具等から発生する極低周波電磁波（家庭用交流電源から発生する電磁波）のうち、特に電場の発生を抑制することができる電場除去器に関する。
【背景技術】
【０００２】
従来、家庭の電気機器等から発生する極低周波電磁波による心身への悪影響（頭痛・吐き気・いらいら等）が問題視されている。
例えば、電磁波防止エプロンを着用してアースがとられていないパソコンを使用している人の電磁波測定を行ったところ、約１５０Ｖ／ｍの電場が帯電していたという事実が報告されている。そして、その人たちの中には、肩こりがひどいとか、頭痛やかすみ目、そして花粉症や鼻炎などのアレルギーに悩んでいる方が多くいることが併せて報告されている（例えば、非特許文献１参照）。
【０００３】
さらに、最近では早稲田大学人間科学学術院の辻内琢也准教授の研究室において、「交流電場が与えるからだへの影響に関する研究」が始まり、電磁波によって自律神経系が影響を受けていることを示唆する実験データが公表されている（非特許文献２、３）。
【０００４】
一般に電磁波とは、電界と磁界が互いに垂直な方向に振動しながら空間や物質中を伝わっていく現象またはその振動電磁界のことであり、電界（電場）と磁界（磁場）の合成波（周波数）という意味である。ここで、本発明において、電界と電場、磁界と磁場は、ほぼ同じ意味で使用しており、電界（電場）とは電気の影響が及ぶ範囲、磁界（磁場）とは磁気の影響が及ぶ範囲を意味している。
【０００５】
磁場は電気機器等に電流が流れることにより生じる。したがって、電気機器等の電源スイッチを切った状態では磁場は生じない。これに対し、電場は電圧がかかるだけで生じる。すなわち、電気機器等の電源スイッチを切った状態であっても、コンセントにプラグが差し込まれているだけで、電場は生じてしまう。
【０００６】
したがって、電場の発生を抑制し、電磁波の影響による前述したような心身への悪影響から逃れるためには、電気機器等の電源プラグをコンセントから抜くか、電気機器等にアースをとることが考えられる。電気機器等の使用中は電源プラグをコンセントから抜くことはできないので、電磁波の影響を抑制する最も現実的で効果的な方法は、電気機器等にアースをとることである。
【０００７】
前述したような家庭の電気機器等から発生する極低周波電磁波による心身への悪影響を減らすため、各国では電磁波に関するガイドラインを設けて、電気機器等から発生する電磁波を抑制するように呼びかけている。特にスウェーデン労働組合協会が設けているガイドライン（ＴＣＯ規制）は、世界で最も厳しい基準を定めており、スウェーデンの電磁波に対する関心の高さが伺える。一方、日本の業界団体が設けているガイドラインでは、磁場に関する基準は前述のスウェーデンのガイドラインと変わらないものの、電場に対する基準は、スウェーデンのガイドラインに比べて、１００Ｖでは５倍、２００Ｖでは２５倍もの電場を許容しており、対応の遅れ、関心の低さを如実に物語っている（表１参照）。
【０００８】
【表１】
2013110136.tif 000003
【０００９】
日本の一般家庭やオフィスで主として使われている単相２線式の電源ラインでは、後述するように２本の電源ラインのうち、どちらか一方の電源ラインが接地された状態になっている。この接地されている電源ラインのことを一般にコールドラインと呼んでいる。したがって、電気機器等の２本の電源線のうち、電気機器等の機器内部においてアースラインに繋がっている側を電源ラインのコールドラインと連結することによって、電気機器等を接地させた状態、すなわち、アースをとったことと同一の状態とすることができる。
【００１０】
また、単相２線式の電源ラインにおいては、どちら側がコールドラインか分からないことも多いため、どちら側がコールドラインかを検出して、電気機器等のアース端子と接続する電気機器等の接地装置（以下、「電場除去器」という）も開発されている（例えば、特許文献１）。
【先行技術文献】
【特許文献】
【００１１】
【特許文献１】登録実用新案第３０１６９７７号公報
【非特許文献】
【００１２】
【非特許文献１】土田直樹著「オールアース時代がやってくる」、ホノカ社、２００５年１０月３０日、ｐ．２９−３０
【非特許文献２】土田直樹著「アース革命」、ホノカ社、２０１１年８月３０日、ｐ．２１０−２１３
【非特許文献３】前田未加子「電磁場の生体影響−医療人類学的研究の試み−」、早稲田大学人類科学学術院医療人類学研究室ホームページ、［平成２３年１１月１日検索］、インターネット＜URL：http://www.waseda.jp/sem-tsujiuchi/Master2009-3ElectroMF.pdf  ＞
【発明の概要】
【発明が解決しようとする課題】
【００１３】
しかしながら、前述したような従来の電場除去器は、アース端子を有する電気機器等に適用する場合には特に問題はないが、ノートパソコンなどのアース端子を持たない機器に適用する場合には、電場除去器から出力されているアース線を接続する場所がなく、やむを得ず、鰐口クリップなどでノートパソコンのコネクタ部などの金属部に連結してアースを取っているのが現状であった。
【００１４】
ところが、このような使用方法では、知らないうちに鰐口クリップが外れてしまい、全く電場除去器が機能していないことに使用者が気づかなかったり、鰐口クリップでコネクタ部の端子間を短絡させてしまいノートパソコンの回路を破損させてしまったりという課題が生じていた。
【００１５】
また、従来の電場除去器は、セレクトスイッチを用いてアース接続コードとコールドライン、ホットラインとの接続の切り替えを行っていたため、装置が大型化し扱いにくいという課題があった。また、セレクトスイッチが機械的接点を有するため錆びや摩耗により劣化し、装置の寿命が短いという課題があった。
【００１６】
また、これまで、安価で手軽に取り付けられる電場除去器が市販されていなかったため、多くの事務所や家庭でパソコン等の電気機器等にアースをとらずに使用することを余儀なくされていた。パソコン等を確実にアースするためには、２００Ｖの電源ラインにおいて用いられているアース端子付きの３極の電源プラグを用いることが有効である。しかしながら、我が国の電源ラインは１００Ｖが主流であり、１００Ｖの電源ではアース端子の接地が水回りなどの特定の場所を除いて義務づけられていないため、ほとんど普及していない。さらに、前述したように電磁波に対する規制も厳しくないため、電気機器側の電磁波に対する対策も進んでいないのが現状である。その一方で、パソコン等の電気機器等は急速に普及し、極低周波電磁波の影響による健康被害の報告が急増しており、極低周波電磁波に対する対策が焦眉の課題となっている。
【００１７】
そこで、本発明が解決しようとする技術的課題、すなわち、本発明の目的は、アース端子を有していない単相２線式の電源ラインによって、電源が供給されている環境で使用される各種の電気機器等に対して、安全、確実、しかも、簡便にアースをとる手段を提供し、もって、作業者や居住者を極低周波電磁波の影響による健康被害から守ることを可能にする電場除去器を提供することである。
【課題を解決するための手段】
【００１８】
本発明者が前記課題を解決すべく鋭意研究を重ねた結果、ＵＳＢプラグの接地端子（外筐端子）と単相２線式の電源ラインのコールドラインとを接続することで、前記課題を解決するとともに後述するようなこれまでの電場除去器にない格別な効果を奏するという知見を見出した。
【００１９】
さらに、コールドラインとホットラインの検出にタッチセンサーを用いた電位検出回路を採用したことによって、これまで電場除去器の故障の原因となっていたセレクトスイッチを用いずに回路を構成することに成功するとともに、装置の大幅な小型化および部品点数の削減によるコストダウンを実現した。
【００２０】
すなわち、本発明の構成は、
「  単相２線式電源ラインに対応した電源プラグと、電気機器等のアース電位部位に接続されるアースプラグと、前記電源プラグの片側とアースプラグとを接続する接続コードとを有する電場除去器において、
前記単相２線式電源ラインのホットラインが電気機器等のアース電位部位に接続された時に光及び／又は音で、誤接続を知らせる電位検出回路が、前記電源プラグと接続コードの一端との間に設けられているとともに、
前記アースプラグが、ＵＳＢプラグであることを特徴とする電場除去器。」
に特徴を有するものである。
【００２１】
なお、本発明において、「電気機器等」とは、パソコン、プリンタ、プロジェクター、コピー機など、ＡＣ電源から電源が供給される共にＵＳＢコネクタを有している電気機器を意味している。
【００２２】
本発明の特徴について、以下に詳細に説明する。
【００２３】
単相２線式電源ラインは、電気設備技術基準で中性線は必ずアースをすることが義務づけられている。これは、一般にＢ種アースと呼ばれている。そして、単相２線式電源ラインのアースされている側の電源ラインは「コールドライン」、アースされていない側の電源ラインは「ホットライン」と呼ばれている。
【００２４】
本発明の第１の特徴は、外見からは分かりにくい単相２線式電源ラインに対応した電源プラグのホットラインとコールドラインとを使用者が容易に判別できるようにしたことにある。これによって、これまで電源コンセントにアース端子がなかったために、すなわち、２極の電源コンセントが使用されていたために、電気機器等のアースがとれなかった環境において、簡単にアースをとることが可能になり、極低周波電磁波の影響による健康被害を抑制することができる。しかも、ホットラインとコールドラインの判別は、本発明の電場除去器の電源プラグをコンセントに差し込み、向きが逆であると光及び／又は音で知らせるというきわめて簡単な方法で行われる。したがって、使用者は、１回電源プラグをコンセントに差し込んで、光及び／又は音で向きが逆であることを知らせられた場合、電源プラグの向きを逆にしてコンセントに差し込めば、コールドラインが正しくアースプラグに接続される。また、電気機器等を移動して別のコンセントを使用するときなども、本発明の電場除去器に電位検出回路が内蔵されているのでその都度コールドラインの検出が行えるのできわめて便利である。
【００２５】
本発明の第２の特徴は、コンセントのコールドラインを利用して電気機器等のアースをとるので、すべてのコンセントに対応できる。また、コンセントの形状を変える必要がないので、工事等も必要なく簡単に装着可能である。コンセントのコールドラインは、電気設備技術基準により必ず６６００Ｖ：２００Ｖ変圧器の二次側の中性線（接地側電線）に繋がっているため、このコールドラインと電気機器等のアースラインを接続することで確実にアースをとることができる。
【００２６】
本発明の第３の特徴は、ここが、もっとも本発明の特徴的な構成であるが、アースプラグとしてＵＳＢプラグを使用していることである。したがって、パソコンはもちろんのこと、プリンタ、スキャナなどパソコンの周辺機器等、ＵＳＢコネクタを有する電気機器等であれば、現在、アースをとらずに使用している多くの電気機器等に対応できる。ＵＳＢは、パソコンなどのデータ伝送に用いられる規格であり、これまでデータ伝送以外に使用されることはなかったが、発明者らが、鋭意研究を行ったところ、このＵＳＢコネクタは、外筐端子（外側の矩形の金属端子）が電気機器等のアースラインと接続されているためアースをとるのに最適であることに加え、たとえ、外筐端子とホットラインを接続した場合であっても、内部回路の電位が上昇することがないように設計されているため、電気機器等を故障させたりすることがないという、電場除去器にとってきわめて理想的なアース手段であるという知見を得て本発明を完成するに至った。
【００２７】
本発明の第４の特徴は、アースプラグがＵＳＢプラグを使用しているので、前述のように、電気機器等のアースラインに確実にアース線を接続することができる。その結果、従来、鰐口クリップをコネクタ部に挟んでアースをとっていたときのような誤接続や短絡、知らないうちに鰐口クリップが外れるといったようなミスを確実に回避することができる。また、誤接続や短絡に起因する電気機器等の内部回路の破損や故障などを確実に回避できる。
【００２８】
本発明の第５の特徴は、内部回路の主要部である電位検出回路部にタッチセンサーを採用したことにより、装置内部から機械的接点がなくなるとともに、部品点数を削減されたため、装置の故障、劣化が少なくなり、きわめて長寿命となるとともに、大幅な装置の小型化、コストダウンが実現できた。
【００２９】
さらに、発展的な本発明の特徴は、通常は、ＵＳＢコネクタを有していないが、極低周波電磁波の影響が問題視されているホットカーペットや電気毛布などにおいても、ＵＳＢコネクタを設けアースラインをＵＳＢコネクタの外筐端子（外側の矩形の金属端子）と接続することによって、本発明の電場除去器を使用して極低周波電磁波の影響を軽減することができることである。すなわち、本発明の電場除去器は「アースをとる」ことに対する対応が遅れている我が国において、とても簡単に「アースをとる」手段を提供するものであり、その適用範囲はきわめて広い。
【００３０】
ＵＳＢプラグをアースプラグとして使用するという発想は、これまでになく、しかも、前述したような効果を奏する点で、新規性のみならず進歩性を有するものである。さらに、タッチセンサーを用いた電位検出回路を内蔵し、簡単にコールドラインを判別できるため、すぐれた有用性も持っている。
【発明の効果】
【００３１】
本発明の電場除去器は、単相２線式電源ラインに対応した電源プラグと、電気機器等のアース電位部位に接続されるアースプラグと、電源プラグの片側とアースプラグとを接続する接続コードとを有し、単相２線式電源ラインのホットラインが電気機器等のアース電位部位に接続された時に光及び／又は音で、誤接続を知らせる電位検出回路が、電源プラグと接続コードの一端との間に設けられているとともに、アースプラグが、ＵＳＢプラグであるので、アース端子のない２極のコンセントが使用されていたために、電気機器等のアースがとれなかった環境においても、簡単、確実、安全にアースをとることが可能になるというすぐれた効果を発揮するものである。しかも、アースプラグがＵＳＢプラグであるため、ＵＳＢ対応の電気機器等であれば、簡単・確実に接続することができ煩わしい接続作業から開放される。その結果、これまで対策の難しかった極低周波電磁波による健康被害を防止できるなど、その効果は絶大である。さらに、内部回路に機械的接点を有していないので、長寿命であるとともに、部品点数を削減したことにより、装置の小型化・コストダウンが実現でき、我が国における極低周波電磁波による健康被害の抑制にきわめて大きな技術的貢献をもたらすものである。
【図面の簡単な説明】
【００３２】
【図１】本発明の一実施例である電場除去器の外観を示す斜視図である。
【図２】本発明の一実施例である電場除去器の内部回路を示す回路図である。
【図３】本発明の一実施例である電場除去器の内部構造を示す平面図である。
【発明を実施するための形態】
【００３３】
本発明の電場除去器は、単相２線式電源ラインに対応した電源プラグと、電気機器等のアース電位部位に接続されるアースプラグと、電源プラグの片側とアースプラグとを接続する接続コードとを有し、単相２線式電源ラインのホットラインが電気機器等のアース電位部位に接続された時に光及び／又は音で、誤接続を知らせる電位検出回路が、電源プラグと接続コードの一端との間に設けられているとともに、アースプラグが、ＵＳＢプラグであるものであって、電気機器等から発生する電場を簡単・確実に除去できるものであれば、その具体的な構成は如何なるものであってもかまわない。
【実施例】
【００３４】
ここで、本発明の電場除去器の一実施例について図を用いて説明する。
【００３５】
図１は、本発明の電場除去器の一実施例の外観を示す斜視図である。図１に示すように、本発明の電場除去器１は、単相２線式電源ラインに対応した電源プラグ２と、電気機器等のアース電位部位に接続されるアースプラグ３と、電源プラグ２の片側とアースプラグ３とを接続する接続コード４とを有し、単相２線式電源ラインのホットラインが電気機器等のアース電位部位に接続された時に光及び／又は音で、誤接続を知らせる電位検出回路が、プラグボックス５内に設けられている。そして、アースプラグ３は、ＵＳＢプラグとなっている。
【００３６】
このような電場除去器は、電源プラグ２をコンセントに差し込み、ＵＳＢプラグをパソコン等のＵＳＢコネクタに差し込むことにより、コンセントのコールドラインとＵＳＢプラグの外筐端子（外側の矩形の金属端子）が接続され、パソコン等がアースされる。この時、電源プラグ２を差し込む向きが逆向きで、コンセントのホットラインとＵＳＢプラグの外筐端子（外側の矩形の金属端子）が接続された場合には、電位検出回路が作動し、ＬＥＤの光（赤）及び／又はブザーの音で、使用者に誤接続であることを知らせるようになっている。誤接続が知らされると、使用者は電場除去器の電源プラグ２をコンセントから１度抜いて差し込んでいた向きと逆向きにして再度コンセントに差し込むことにより、コンセントのコールドラインとＵＳＢプラグの外筐端子（外側の矩形の金属端子）が正しく接続される。
【００３７】
（本実施例の電場除去器の動作原理）
次に、前記実施例の電場除去装置の動作原理について説明する。
本実施例の電場除去装置の内部構成は、図３に示すように概略次のようになっている。（１）保護回路部、（２）降圧回路部、（３）タッチセンサー部、（４）定電圧回路、（５）センサー（制御）回路部、（６）表示回路部、（７）接続コード部
【００３８】
ここで、前記（１）〜（７）の各内部構成について説明する。なお、以下の説明において、部品名に付した数字は、図３に付した数字に対応しており、括弧内に記載した符号は図２の回路図に付した符号に対応している。
【００３９】
（１）保護回路部：安全装置として過電流保護の為の電流ヒューズ１１（Ｆ１）を設けており、また、雷サージ等の保護としてバリスター１２（ＲＶ１）を電源ラインに接続している。
【００４０】
（２）降圧回路部：電源電圧ＡＣ１００Ｖをコンデンサ２１（Ｃ１）等により、約ＡＣ１０Ｖに降圧している。
【００４１】
（３）タッチセンサー部：降圧された電圧を、タッチセンサー部３２を指で触れることによって、回路がホットラインもしくはコールドラインのどちらにつながっているかを判断することができる。
【００４２】
（４）定電圧回路部：    降圧された電圧をツェナーダイオード４１（Ｄ４）、電解コンデンサ４２（Ｃ２）等により、ＤＣ１０Ｖ程度の定電圧を得ている。
【００４３】
（５）センサー（電位検出）回路部：電場除去器１のタッチセンサー３２の金属部分を指（人体）で触れることにより、内部のコンパレータ回路（Ｕ１）により、電源ラインの電位と人体（ｔｏｕｃｈ）電位とを比較する。その際、人が触れるタッチセンサー３２は、感電のおそれがないようコンデンサ（Ｃ４）と抵抗（Ｒ８）により高インピーダンスにて保護されている。図３において、電源ラインのＡＣ２がコールドラインに接続されているとき、コンパレータ回路（Ｕ１）の正入力（３）側にコールドラインの低電位が印加され、負入力（２）側には人体電位のさらに低電位が入力されるため、コンパレータ回路（Ｕ１）の出力はプラス（高電位）となり、緑のＬＥＤ（ＧＲＥＥＮ）が点灯する。この時、コンパレータ（Ｕ１）の正入力（５）側より負入力（６）側の方が高電位になるため、出力（７）には、電位が現れず、赤のＬＥＤ（ＲＥＤ）は点灯せず、ブザー（ＢＺ）もならない。一方、電源ラインのＡＣ２がホットラインに接続されていると、コンパレータ回路（Ｕ１）の正入力（５）側が、負入力（６）側より高電位になるので、出力（７）が高電位になり、赤のＬＥＤ（ＲＥＤ）が点灯し、ブザー（ＢＺ）がなる。
【００４４】
（６）表示回路：タッチセンサー３２の位置が電源ラインのＧＮＤ側（コールドライン）の場合は、セレクトランプが緑色に点灯し、逆の場合（ホットライン）は、セレクトランプが赤色に点灯するとともにブザーが鳴る。
【００４５】
（７）接続コード部：    接続コード部は、表示回路の緑色ＬＥＤが点灯している場合、保護部品（Ｒ１４、ＰＴＣ）を介して電源ライン（コンセント）のＧＮＤ側（コールドライン）に接続している。
【００４６】
本実施例の電場除去器は、従来の電場除去器と違いＡＣプラグの電位検出回路にセレクトスイッチではなくタッチセンサーを使用しているため装置の大きさを大幅に小さくすることができた。その結果、従来の電場除去器では、複数のコンセントが一列に並んだＯＡタップで使用した場合、電場除去器を挿入したコンセントの両サイドのコンセントが塞がってしまい使用できないという無駄が生じていた。ところが、本実施例の電場除去器では装置の大きさが大幅に小さくなったため、そのような無駄が生じない。
【００４７】
また、セレクトスイッチを用いる場合に比べタッチセンサーを用いた場合は、全体の部品点数を少なくすることができ、装置のコストダウンを図ることができる。
【００４８】
さらに、セレクトスイッチは、機械的な接点を有しているため、次第に接点が錆びたり摩耗したりして、装置の寿命が短い。一方、本実施例の電場除去器は機械的接点を有していないので寿命がきわめて長い。
【００４９】
また、従来の電場除去器はセレクトスイッチを切り替えるときに、内部で線が触れてショートをおこすという問題が頻発していた。一方、本実施例の電場除去器は装置内部に動く部分がないため、ショートを起こす心配がなく、きわめて安全である。
【００５０】
前述の説明で分かるように、例えば、ノートパソコンから発生している電場は、本実施例の電場除去器の接続コードを通じてコンセントのＧＮＤ（コールドライン）に流す仕組みとなっている。ちなみに電源プラグを差込むコンセントがＧＮＤと接続されていなければ、アースをとることが出来ず、発生している電場を軽減することは出来ない。しかしながら、通常、２極のＡＣコンセントは、必ずＧＮＤと接続されている（接地されている）ので、本発明の電場除去器を用いることにより、確実に電場を軽減することができる。
【００５１】
（本実施例の電場除去器の特性評価）
次に本発明の電場除去器の有用性を検証するため、前述した実施例の電場除去器について、次のような特性評価を行った。すなわち、電源コードがＡＣコンセントに接続された対象物（ＣＲＴ式オシロスコープ）に本実施例の電場除去器を接続した。そして、タッチセンサーに触れたときにセレクトランプが緑色に点灯したとき、すなわち、ＵＳＢプラグがコンセントのコールドラインに接続された状態の時と、セレクトランプが赤色に点灯したとき、すなわち、ＵＳＢプラグがコンセントのコールドラインに接続されていない状態の時の双方について、かつ、対象物の電源がＯＮの時とＯＦＦの時の双方について、合計４つの場合（テスト１〜４）について対象物前面の電位を計測した。その結果を表２に示す。
【００５２】
【表２】
2013110136.tif 000004
【００５３】
表２の結果から明らかなように、本実施例の電場除去器が対象物に接続されてＵＳＢプラグがコンセントのコールドラインに接続されているとき（セレクトランプが緑色に点灯）には、電場がきわめて低減していることがわかる。一方、ＵＳＢプラグがコンセントのホットラインに接続されているとき（セレクトランプが赤色に点灯）には、電場除去器を接続しないのとほぼ同等のきわめて高い電場の値を示した。
【００５４】
前記の結果から、本発明の電場除去器は、電気機器等から発生する電場の影響を効果的に除去することが確認できた。
【産業上の利用可能性】
【００５５】
前述のように、本発明の電場除去器は、電気機器等から発生する電場をきわめて効率よく、しかも確実に抑制することができるものであって、電気機器等を操作する作業者や、電気機器等に囲まれて生活する居住者を極低周波電磁波による健康被害から守ることができるものであって、その産業上の利用可能性はきわめて大きい。
【符号の説明】
【００５６】
１  ・・・  電場除去器
２  ・・・  電源プラグ
３  ・・・  アースプラグ（ＵＳＢプラグ）
４  ・・・  接続コード
５  ・・・  プラグボックス
【図１】
2013110136.tif 000005
【図２】
2013110136.tif 000006
【図３】
2013110136.tif 000007
【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
単相２線式電源ラインに対応した電源プラグと、
前記単相２線式電源ラインから電源が供給されると共にＵＳＢコネクタを有している電気機器のアース電位部位に該ＵＳＢコネクタの外筐端子を介して接続されるＵＳＢプラグと、
前記電源プラグの片側に接続された電位検出部と前記ＵＳＢプラグとを接続する接続コードとを有する電場除去器であって、
前記電位検出部が、前記電源プラグの片側の電位と人が触れているタッチセンサーの電位とを比較するコンパレータ回路を有し該コンパレータ回路が、前記電源プラグの片側の電位が人が触れているタッチセンサーの電位より高電位であることを検出した時、光及び／又は音で、前記電源プラグの片側が単相２線式電源ラインのホットラインと誤接続されていることを知らせる
ことを特徴とする電場除去器。
【手続補正２】
【補正対象書類名】明細書
【補正対象項目名】全文
【補正方法】変更
【補正の内容】
【発明の詳細な説明】
【技術分野】
【０００１】
本発明は、パソコン等の一般家庭の電気器具等から発生する極低周波電磁波（家庭用交流電源から発生する電磁波）のうち、特に電場の発生を抑制することができる電場除去器に関する。
【背景技術】
【０００２】
従来、家庭の電気機器等から発生する極低周波電磁波による心身への悪影響（頭痛・吐き気・いらいら等）が問題視されている。
例えば、電磁波防止エプロンを着用してアースがとられていないパソコンを使用している人の電磁波測定を行ったところ、約１５０Ｖ／ｍの電場が帯電していたという事実が報告されている。そして、その人たちの中には、肩こりがひどいとか、頭痛やかすみ目、そして花粉症や鼻炎などのアレルギーに悩んでいる方が多くいることが併せて報告されている（例えば、非特許文献１参照）。
【０００３】
さらに、最近では早稲田大学人間科学学術院の辻内琢也准教授の研究室において、「交流電場が与えるからだへの影響に関する研究」が始まり、電磁波によって自律神経系が影響を受けていることを示唆する実験データが公表されている（非特許文献２、３）。
【０００４】
一般に電磁波とは、電界と磁界が互いに垂直な方向に振動しながら空間や物質中を伝わっていく現象またはその振動電磁界のことであり、電界（電場）と磁界（磁場）の合成波（周波数）という意味である。ここで、本発明において、電界と電場、磁界と磁場は、ほぼ同じ意味で使用しており、電界（電場）とは電気の影響が及ぶ範囲、磁界（磁場）とは磁気の影響が及ぶ範囲を意味している。
【０００５】
磁場は電気機器等に電流が流れることにより生じる。したがって、電気機器等の電源スイッチを切った状態では磁場は生じない。これに対し、電場は電圧がかかるだけで生じる。すなわち、電気機器等の電源スイッチを切った状態であっても、コンセントにプラグが差し込まれているだけで、電場は生じてしまう。
【０００６】
したがって、電場の発生を抑制し、電磁波の影響による前述したような心身への悪影響から逃れるためには、電気機器等の電源プラグをコンセントから抜くか、電気機器等にアースをとることが考えられる。電気機器等の使用中は電源プラグをコンセントから抜くことはできないので、電磁波の影響を抑制する最も現実的で効果的な方法は、電気機器等にアースをとることである。
【０００７】
前述したような家庭の電気機器等から発生する極低周波電磁波による心身への悪影響を減らすため、各国では電磁波に関するガイドラインを設けて、電気機器等から発生する電磁波を抑制するように呼びかけている。特にスウェーデン労働組合協会が設けているガイドライン（ＴＣＯ規制）は、世界で最も厳しい基準を定めており、スウェーデンの電磁波に対する関心の高さが伺える。一方、日本の業界団体が設けているガイドラインでは、磁場に関する基準は前述のスウェーデンのガイドラインと変わらないものの、電場に対する基準は、スウェーデンのガイドラインに比べて、１００Ｖでは５倍、２００Ｖでは２５倍もの電場を許容しており、対応の遅れ、関心の低さを如実に物語っている（表１参照）。
【０００８】
【表１】
2013110136.tif 000008
【０００９】
日本の一般家庭やオフィスで主として使われている単相２線式の電源ラインでは、後述するように２本の電源ラインのうち、どちらか一方の電源ラインが接地された状態になっている。この接地されている電源ラインのことを一般にコールドラインと呼んでいる。したがって、電気機器等の２本の電源線のうち、電気機器等の機器内部においてアースラインに繋がっている側を電源ラインのコールドラインと連結することによって、電気機器等を接地させた状態、すなわち、アースをとったことと同一の状態とすることができる。
【００１０】
また、単相２線式の電源ラインにおいては、どちら側がコールドラインか分からないことも多いため、どちら側がコールドラインかを検出して、電気機器等のアース端子と接続する電気機器等の接地装置（以下、「電場除去器」という）も開発されている（例えば、特許文献１）。
【先行技術文献】
【特許文献】
【００１１】
【特許文献１】登録実用新案第３０１６９７７号公報
【非特許文献】
【００１２】
【非特許文献１】土田直樹著「オールアース時代がやってくる」、ホノカ社、２００５年１０月３０日、ｐ．２９−３０
【非特許文献２】土田直樹著「アース革命」、ホノカ社、２０１１年８月３０日、ｐ．２１０−２１３
【非特許文献３】前田未加子「電磁場の生体影響−医療人類学的研究の試み−」、早稲田大学人類科学学術院医療人類学研究室ホームページ、［平成２３年１１月１日検索］、インターネット＜URL：http://www.waseda.jp/sem-tsujiuchi/Master2009-3ElectroMF.pdf  ＞
【発明の概要】
【発明が解決しようとする課題】
【００１３】
しかしながら、前述したような従来の電場除去器は、アース端子を有する電気機器等に適用する場合には特に問題はないが、ノートパソコンなどのアース端子を持たない機器に適用する場合には、電場除去器から出力されているアース線を接続する場所がなく、やむを得ず、鰐口クリップなどでノートパソコンのコネクタ部などの金属部に連結してアースを取っているのが現状であった。
【００１４】
ところが、このような使用方法では、知らないうちに鰐口クリップが外れてしまい、全く電場除去器が機能していないことに使用者が気づかなかったり、鰐口クリップでコネクタ部の端子間を短絡させてしまいノートパソコンの回路を破損させてしまったりという課題が生じていた。
【００１５】
また、従来の電場除去器は、セレクトスイッチを用いてアース接続コードとコールドライン、ホットラインとの接続の切り替えを行っていたため、装置が大型化し扱いにくいという課題があった。また、セレクトスイッチが機械的接点を有するため錆びや摩耗により劣化し、装置の寿命が短いという課題があった。
【００１６】
また、これまで、安価で手軽に取り付けられる電場除去器が市販されていなかったため、多くの事務所や家庭でパソコン等の電気機器等にアースをとらずに使用することを余儀なくされていた。パソコン等を確実にアースするためには、２００Ｖの電源ラインにおいて用いられているアース端子付きの３極の電源プラグを用いることが有効である。しかしながら、我が国の電源ラインは１００Ｖが主流であり、１００Ｖの電源ではアース端子の接地が水回りなどの特定の場所を除いて義務づけられていないため、ほとんど普及していない。さらに、前述したように電磁波に対する規制も厳しくないため、電気機器側の電磁波に対する対策も進んでいないのが現状である。その一方で、パソコン等の電気機器等は急速に普及し、極低周波電磁波の影響による健康被害の報告が急増しており、極低周波電磁波に対する対策が焦眉の課題となっている。
【００１７】
そこで、本発明が解決しようとする技術的課題、すなわち、本発明の目的は、アース端子を有していない単相２線式の電源ラインによって、電源が供給されている環境で使用される各種の電気機器等に対して、安全、確実、しかも、簡便にアースをとる手段を提供し、もって、作業者や居住者を極低周波電磁波の影響による健康被害から守ることを可能にする電場除去器を提供することである。
【課題を解決するための手段】
【００１８】
本発明者が前記課題を解決すべく鋭意研究を重ねた結果、ＵＳＢプラグの接地端子（外筐端子）と単相２線式の電源ラインのコールドラインとを接続することで、前記課題を解決するとともに後述するようなこれまでの電場除去器にない格別な効果を奏するという知見を見出した。
【００１９】
さらに、コールドラインとホットラインの検出にタッチセンサーを用いた電位検出回路を採用したことによって、これまで電場除去器の故障の原因となっていたセレクトスイッチを用いずに回路を構成することに成功するとともに、装置の大幅な小型化および部品点数の削減によるコストダウンを実現した。
【００２０】
すなわち、本発明の構成は、
「単相２線式電源ラインに対応した電源プラグと、前記単相２線式電源ラインから電源が供給されると共にＵＳＢコネクタを有している電気機器のアース電位部位に該ＵＳＢコネクタの外筐端子を介して接続されるＵＳＢプラグと、前記電源プラグの片側に接続された電位検出部と前記ＵＳＢプラグとを接続する接続コードとを有する電場除去器であって、  前記電位検出部が、前記電源プラグの片側の電位と人が触れているタッチセンサーの電位とを比較するコンパレータ回路を有し該コンパレータ回路が、前記電源プラグの片側の電位が人が触れているタッチセンサーの電位より高電位であることを検出した時、光及び／又は音で、前記電源プラグの片側が単相２線式電源ラインのホットラインと誤接続されていることを知らせることを特徴とする電場除去器。」
に特徴を有するものである。
【００２１】
なお、本発明において、「電気機器等」とは、パソコン、プリンタ、プロジェクター、コピー機など、ＡＣ電源から電源が供給される共にＵＳＢコネクタを有している電気機器を意味している。
【００２２】
本発明の特徴について、以下に詳細に説明する。
【００２３】
単相２線式電源ラインは、電気設備技術基準で中性線は必ずアースをすることが義務づけられている。これは、一般にＢ種アースと呼ばれている。そして、単相２線式電源ラインのアースされている側の電源ラインは「コールドライン」、アースされていない側の電源ラインは「ホットライン」と呼ばれている。
【００２４】
本発明の第１の特徴は、外見からは分かりにくい単相２線式電源ラインに対応した電源プラグのホットラインとコールドラインとを使用者が容易に判別できるようにしたことにある。これによって、これまで電源コンセントにアース端子がなかったために、すなわち、２極の電源コンセントが使用されていたために、電気機器等のアースがとれなかった環境において、簡単にアースをとることが可能になり、極低周波電磁波の影響による健康被害を抑制することができる。しかも、ホットラインとコールドラインの判別は、本発明の電場除去器の電源プラグをコンセントに差し込み、向きが逆であると光及び／又は音で知らせるというきわめて簡単な方法で行われる。したがって、使用者は、１回電源プラグをコンセントに差し込んで、光及び／又は音で向きが逆であることを知らせられた場合、電源プラグの向きを逆にしてコンセントに差し込めば、コールドラインが正しくアースプラグに接続される。また、電気機器等を移動して別のコンセントを使用するときなども、本発明の電場除去器に電位検出回路が内蔵されているのでその都度コールドラインの検出が行えるのできわめて便利である。
【００２５】
本発明の第２の特徴は、コンセントのコールドラインを利用して電気機器等のアースをとるので、すべてのコンセントに対応できる。また、コンセントの形状を変える必要がないので、工事等も必要なく簡単に装着可能である。コンセントのコールドラインは、電気設備技術基準により必ず６６００Ｖ：２００Ｖ変圧器の二次側の中性線（接地側電線）に繋がっているため、このコールドラインと電気機器等のアースラインを接続することで確実にアースをとることができる。
【００２６】
本発明の第３の特徴は、ここが、もっとも本発明の特徴的な構成であるが、アースプラグとしてＵＳＢプラグを使用していることである。したがって、パソコンはもちろんのこと、プリンタ、スキャナなどパソコンの周辺機器等、ＵＳＢコネクタを有する電気機器等であれば、現在、アースをとらずに使用している多くの電気機器等に対応できる。ＵＳＢは、パソコンなどのデータ伝送に用いられる規格であり、これまでデータ伝送以外に使用されることはなかったが、発明者らが、鋭意研究を行ったところ、このＵＳＢコネクタは、外筐端子（外側の矩形の金属端子）が電気機器等のアースラインと接続されているためアースをとるのに最適であることに加え、たとえ、外筐端子とホットラインを接続した場合であっても、内部回路の電位が上昇することがないように設計されているため、電気機器等を故障させたりすることがないという、電場除去器にとってきわめて理想的なアース手段であるという知見を得て本発明を完成するに至った。
【００２７】
本発明の第４の特徴は、アースプラグがＵＳＢプラグを使用しているので、前述のように、電気機器等のアースラインに確実にアース線を接続することができる。その結果、従来、鰐口クリップをコネクタ部に挟んでアースをとっていたときのような誤接続や短絡、知らないうちに鰐口クリップが外れるといったようなミスを確実に回避することができる。また、誤接続や短絡に起因する電気機器等の内部回路の破損や故障などを確実に回避できる。
【００２８】
本発明の第５の特徴は、内部回路の主要部である電位検出回路部にタッチセンサーを採用したことにより、装置内部から機械的接点がなくなるとともに、部品点数を削減されたため、装置の故障、劣化が少なくなり、きわめて長寿命となるとともに、大幅な装置の小型化、コストダウンが実現できた。
【００２９】
さらに、発展的な本発明の特徴は、通常は、ＵＳＢコネクタを有していないが、極低周波電磁波の影響が問題視されているホットカーペットや電気毛布などにおいても、ＵＳＢコネクタを設けアースラインをＵＳＢコネクタの外筐端子（外側の矩形の金属端子）と接続することによって、本発明の電場除去器を使用して極低周波電磁波の影響を軽減することができることである。すなわち、本発明の電場除去器は「アースをとる」ことに対する対応が遅れている我が国において、とても簡単に「アースをとる」手段を提供するものであり、その適用範囲はきわめて広い。
【００３０】
ＵＳＢプラグをアースプラグとして使用するという発想は、これまでになく、しかも、前述したような効果を奏する点で、新規性のみならず進歩性を有するものである。さらに、タッチセンサーを用いた電位検出回路を内蔵し、簡単にコールドラインを判別できるため、すぐれた有用性も持っている。
【発明の効果】
【００３１】
本発明の電場除去器は、単相２線式電源ラインに対応した電源プラグと、単相２線式電源ラインから電源が供給されると共にＵＳＢコネクタを有している電気機器のアース電位部位に該ＵＳＢコネクタの外筐端子を介して接続されるＵＳＢプラグと、電源プラグの片側に接続された電位検出部とＵＳＢプラグとを接続する接続コードとを有する電場除去器であって、電位検出部が、電源プラグの片側の電位と人が触れているタッチセンサーの電位とを比較するコンパレータ回路を有し該コンパレータ回路が、電源プラグの片側の電位が人が触れているタッチセンサーの電位より高電位であることを検出した時、光及び／又は音で、電源プラグの片側が単相２線式電源ラインのホットラインと誤接続されていることを知らせることため、アース端子のない２極のコンセントが使用されていたために、電気機器のアースがとれなかった環境においても、簡単、確実、安全にアースをとることが可能になるというすぐれた効果を発揮するものである。しかも、アースプラグがＵＳＢプラグであるため、ＵＳＢ対応の電気機器であれば、簡単・確実に接続することができ煩わしい接続作業から開放される。その結果、これまで対策の難しかった極低周波電磁波による健康被害を防止できるなど、その効果は絶大である。さらに、内部回路に機械的接点を有していないので、長寿命であるとともに、部品点数を削減したことにより、装置の小型化・コストダウンが実現でき、我が国における極低周波電磁波による健康被害の抑制にきわめて大きな技術的貢献をもたらすものである。
【図面の簡単な説明】
【００３２】
【図１】本発明の一実施例である電場除去器の外観を示す斜視図である。
【図２】本発明の一実施例である電場除去器の内部回路を示す回路図である。
【図３】本発明の一実施例である電場除去器の内部構造を示す平面図である。
【発明を実施するための形態】
【００３３】
本発明の電場除去器は、単相２線式電源ラインに対応した電源プラグと、単相２線式電源ラインから電源が供給されると共にＵＳＢコネクタを有している電気機器のアース電位部位に該ＵＳＢコネクタの外筐端子を介して接続されるＵＳＢプラグと、電源プラグの片側に接続された電位検出部とＵＳＢプラグとを接続する接続コードとを有する電場除去器であって、  電位検出部が、電源プラグの片側の電位と人が触れているタッチセンサーの電位とを比較するコンパレータ回路を有し該コンパレータ回路が、電源プラグの片側の電位が人が触れているタッチセンサーの電位より高電位であることを検出した時、光及び／又は音で、前記電源プラグの片側が単相２線式電源ラインのホットラインと誤接続されていることを知らせるものであって、電気機器等から発生する電場を簡単・確実に除去できるものであれば、その具体的な構成は如何なるものであってもかまわない。
【実施例】
【００３４】
ここで、本発明の電場除去器の一実施例について図を用いて説明する。
【００３５】
図１は、本発明の電場除去器の一実施例の外観を示す斜視図である。図１に示すように、本発明の電場除去器１は、単相２線式電源ラインに対応した電源プラグ２と、電気機器等のアース電位部位に接続されるアースプラグ３と、電源プラグ２の片側とアースプラグ３とを接続する接続コード４とを有し、単相２線式電源ラインのホットラインが電気機器等のアース電位部位に接続された時に光及び／又は音で、誤接続を知らせる電位検出回路が、プラグボックス５内に設けられている。そして、アースプラグ３は、ＵＳＢプラグとなっている。
【００３６】
このような電場除去器は、電源プラグ２をコンセントに差し込み、ＵＳＢプラグをパソコン等のＵＳＢコネクタに差し込むことにより、コンセントのコールドラインとＵＳＢプラグの外筐端子（外側の矩形の金属端子）が接続され、パソコン等がアースされる。この時、電源プラグ２を差し込む向きが逆向きで、コンセントのホットラインとＵＳＢプラグの外筐端子（外側の矩形の金属端子）が接続された場合には、電位検出回路が作動し、ＬＥＤの光（赤）及び／又はブザーの音で、使用者に誤接続であることを知らせるようになっている。誤接続が知らされると、使用者は電場除去器の電源プラグ２をコンセントから１度抜いて差し込んでいた向きと逆向きにして再度コンセントに差し込むことにより、コンセントのコールドラインとＵＳＢプラグの外筐端子（外側の矩形の金属端子）が正しく接続される。
【００３７】
（本実施例の電場除去器の動作原理）
次に、前記実施例の電場除去装置の動作原理について説明する。
本実施例の電場除去装置の内部構成は、図３に示すように概略次のようになっている。（１）保護回路部、（２）降圧回路部、（３）タッチセンサー部、（４）定電圧回路、（５）センサー（制御）回路部、（６）表示回路部、（７）接続コード部
【００３８】
ここで、前記（１）〜（７）の各内部構成について説明する。なお、以下の説明において、部品名に付した数字は、図３に付した数字に対応しており、括弧内に記載した符号は図２の回路図に付した符号に対応している。
【００３９】
（１）保護回路部：安全装置として過電流保護の為の電流ヒューズ１１（Ｆ１）を設けており、また、雷サージ等の保護としてバリスター１２（ＲＶ１）を電源ラインに接続している。
【００４０】
（２）降圧回路部：電源電圧ＡＣ１００Ｖをコンデンサ２１（Ｃ１）等により、約ＡＣ１０Ｖに降圧している。
【００４１】
（３）タッチセンサー部：降圧された電圧を、タッチセンサー部３２を指で触れることによって、回路がホットラインもしくはコールドラインのどちらにつながっているかを判断することができる。
【００４２】
（４）定電圧回路部：    降圧された電圧をツェナーダイオード４１（Ｄ４）、電解コンデンサ４２（Ｃ２）等により、ＤＣ１０Ｖ程度の定電圧を得ている。
【００４３】
（５）センサー（電位検出）回路部：電場除去器１のタッチセンサー３２の金属部分を指（人体）で触れることにより、内部のコンパレータ回路（Ｕ１）により、電源ラインの電位と人体（ｔｏｕｃｈ）電位とを比較する。その際、人が触れるタッチセンサー３２は、感電のおそれがないようコンデンサ（Ｃ４）と抵抗（Ｒ８）により高インピーダンスにて保護されている。図３において、電源ラインのＡＣ２がコールドラインに接続されているとき、コンパレータ回路（Ｕ１）の正入力（３）側にコールドラインの低電位が印加され、負入力（２）側には人体電位のさらに低電位が入力されるため、コンパレータ回路（Ｕ１）の出力はプラス（高電位）となり、緑のＬＥＤ（ＧＲＥＥＮ）が点灯する。この時、コンパレータ（Ｕ１）の正入力（５）側より負入力（６）側の方が高電位になるため、出力（７）には、電位が現れず、赤のＬＥＤ（ＲＥＤ）は点灯せず、ブザー（ＢＺ）もならない。一方、電源ラインのＡＣ２がホットラインに接続されていると、コンパレータ回路（Ｕ１）の正入力（５）側が、負入力（６）側より高電位になるので、出力（７）が高電位になり、赤のＬＥＤ（ＲＥＤ）が点灯し、ブザー（ＢＺ）がなる。
【００４４】
（６）表示回路：タッチセンサー３２の位置が電源ラインのＧＮＤ側（コールドライン）の場合は、セレクトランプが緑色に点灯し、逆の場合（ホットライン）は、セレクトランプが赤色に点灯するとともにブザーが鳴る。
【００４５】
（７）接続コード部：接続コード部は、表示回路の緑色ＬＥＤが点灯している場合、保護部品（Ｒ１４、ＰＴＣ）を介して電源ライン（コンセント）のＧＮＤ側（コールドライン）に接続している。
【００４６】
本実施例の電場除去器は、従来の電場除去器と違いＡＣプラグの電位検出回路にセレクトスイッチではなくタッチセンサーを使用しているため装置の大きさを大幅に小さくすることができた。その結果、従来の電場除去器では、複数のコンセントが一列に並んだＯＡタップで使用した場合、電場除去器を挿入したコンセントの両サイドのコンセントが塞がってしまい使用できないという無駄が生じていた。ところが、本実施例の電場除去器では装置の大きさが大幅に小さくなったため、そのような無駄が生じない。
【００４７】
また、セレクトスイッチを用いる場合に比べタッチセンサーを用いた場合は、全体の部品点数を少なくすることができ、装置のコストダウンを図ることができる。
【００４８】
さらに、セレクトスイッチは、機械的な接点を有しているため、次第に接点が錆びたり摩耗したりして、装置の寿命が短い。一方、本実施例の電場除去器は機械的接点を有していないので寿命がきわめて長い。
【００４９】
また、従来の電場除去器はセレクトスイッチを切り替えるときに、内部で線が触れてショートをおこすという問題が頻発していた。一方、本実施例の電場除去器は装置内部に動く部分がないため、ショートを起こす心配がなく、きわめて安全である。
【００５０】
前述の説明で分かるように、例えば、ノートパソコンから発生している電場は、本実施例の電場除去器の接続コードを通じてコンセントのＧＮＤ（コールドライン）に流す仕組みとなっている。ちなみに電源プラグを差込むコンセントがＧＮＤと接続されていなければ、アースをとることが出来ず、発生している電場を軽減することは出来ない。しかしながら、通常、２極のＡＣコンセントは、必ずＧＮＤと接続されている（接地されている）ので、本発明の電場除去器を用いることにより、確実に電場を軽減することができる。
【００５１】
（本実施例の電場除去器の特性評価）
次に本発明の電場除去器の有用性を検証するため、前述した実施例の電場除去器について、次のような特性評価を行った。すなわち、電源コードがＡＣコンセントに接続された対象物（ＣＲＴ式オシロスコープ）に本実施例の電場除去器を接続した。そして、タッチセンサーに触れたときにセレクトランプが緑色に点灯したとき、すなわち、ＵＳＢプラグがコンセントのコールドラインに接続された状態の時と、セレクトランプが赤色に点灯したとき、すなわち、ＵＳＢプラグがコンセントのコールドラインに接続されていない状態の時の双方について、かつ、対象物の電源がＯＮの時とＯＦＦの時の双方について、合計４つの場合（テスト１〜４）について対象物前面の電位を計測した。その結果を表２に示す。
【００５２】
【表２】
2013110136.tif 000009
【００５３】
表２の結果から明らかなように、本実施例の電場除去器が対象物に接続されてＵＳＢプラグがコンセントのコールドラインに接続されているとき（セレクトランプが緑色に点灯）には、電場がきわめて低減していることがわかる。一方、ＵＳＢプラグがコンセントのホットラインに接続されているとき（セレクトランプが赤色に点灯）には、電場除去器を接続しないのとほぼ同等のきわめて高い電場の値を示した。
【００５４】
前記の結果から、本発明の電場除去器は、電気機器等から発生する電場の影響を効果的に除去することが確認できた。
【産業上の利用可能性】
【００５５】
前述のように、本発明の電場除去器は、電気機器等から発生する電場をきわめて効率よく、しかも確実に抑制することができるものであって、電気機器等を操作する作業者や、電気機器等に囲まれて生活する居住者を極低周波電磁波による健康被害から守ることができるものであって、その産業上の利用可能性はきわめて大きい。
【符号の説明】
【００５６】
１  ・・・  電場除去器
２  ・・・  電源プラグ
３  ・・・  アースプラグ（ＵＳＢプラグ）
４  ・・・  接続コード
５  ・・・  プラグボックス